(57)【要約】【課題】使用に際して、吊下げ対象との間で金属音の発生、傷付きを防止し、表面の摩擦損傷を回避できる連結金具（カラビナ）を提供する。【解決手段】略Ｃ字形状若しくは略コ形状に形成された金属素材からなる連結金具本体１と、その開放部を閉塞して全体をループの形状に構成するためのアーム部２とからなり、該アーム部２は、その一端２ａを前記連結金具本体１の一端に枢着し、その他端２ｂを前記ループの内側から弾性力によって前記連結金具本体１の他端１ａに形成した係止部に係脱可能に係合したものにおいて、前記連結金具本体１は、軟質合成樹脂のチューブ状外套部材３で被覆されている。【選択図】　　　　図１
0003097412.tif 000002
【実用新案登録請求の範囲】
【請求項１】
略Ｃ字形状若しくは略コ形状に形成された金属素材からなる連結金具本体と、その開放部を閉塞して全体をループの形状に構成するためのアーム部とからなり、該アーム部は、その一端を前記連結金具本体の一端に枢着し、その他端を前記ループの内側から弾性力によって前記連結金具本体の他端に形成した係止部に係脱可能に係合した連結金具において、
前記連結金具本体は、軟質合成樹脂のチューブ状外套部材で被覆されていることを特徴とする連結金具。
【請求項２】
前記外套部材は、半透明、透明あるいは着色透明であり、前記連結金具本体の化粧表面を透視するようになることを特徴とする請求項１に記載の連結金具。
【請求項３】
前記ループには、その外套部材がある前記連結金具本体の小円弧位置で、被吊下げ品のための吊下げ環を備えていることを特徴とする請求項１又は２に記載の連結金具。
【請求項４】
前記ループには、前記吊下げ環が吊下げられる小円弧位置に対応して、その上側で、前記連結金具本体に略直線状の吊持ち部分を形成していることを特徴とする請求項３に記載の連結金具。
【考案の詳細な説明】
【０００１】
【考案の属する技術分野】
本考案は、主として、キーホルダー、携帯電話機のストラップ、鞄などのショルダーベルトにおいて用いられる一般にカラビナと称される連結金具に関するものである。
【０００２】
【従来の技術】
この種の連結金具は、下記特許文献１又は２に示されるように、略Ｃ字形状若しくは略コ形状に形成された金属素材からなる連結金具本体と、その開放部を閉塞して全体をループの形状に構成するためのアーム部とからなり、該アーム部は、その一端を前記連結金具本体の一端に枢着し、その他端を前記ループの内側から弾性力によって前記連結金具本体の他端に形成した係止部に係脱可能に係合した構造である。
【０００３】
【考案が解決しようとする課題】
ここで問題になるのは、前記連結金具本体は金属素材で構成されていて、その表面に化粧用のメッキなどが施されている。このため、例えば、この連結金具をキーホルダーや携帯電話機の吊下げに用いる場合、被吊下げ品であるキーや携帯電話機との吊下げ個所で、金属相互の接触動作により、不快な金属音を発生し、また、連結金具や被吊下げ品の表面に傷を付けるなどの不都合がある。
【０００４】
【特許文献１】特公平７−１１４号
【特許文献２】実開昭６０−１５３５５号
【０００５】
本考案は、上記事情に基づいてなされたもので、その目的とするところは、使用に際して、吊下げ対象との間で金属音の発生、傷付きを防止し、表面の摩擦損傷を回避できる連結金具（カラビナ）を提供することである。
【０００６】
【課題を解決するための手段】
このため、本考案の連結金具は、図示の実施の形態でも明らかにしたように、略Ｃ字形状若しくは略コ形状に形成された金属素材からなる連結金具本体１と、その開放部を閉塞して全体をループの形状に構成するためのアーム部２とからなり、該アーム部２は、その一端２ａを前記連結金具本体１の一端に枢着し、その他端２ｂを前記ループの内側から弾性力によって前記連結金具本体１の他端１ａに形成した係止部に係脱可能に係合したものにおいて、前記連結金具本体１は、軟質合成樹脂のチューブ状外套部材３で被覆されていることを特徴とする。
【０００７】
この場合、本考案の実施の形態として、外套部材３は、半透明、透明あるいは着色透明であり、連結金具本体１の化粧表面を透視するようになる。また、前記ループには、その外套部材３がある連結金具本体１の小円弧位置１ｘで、被吊下げ品４のための吊下げ環５を備えている。なお、要すれば、前記ループには、吊下げ環５が吊下げられる位置１ｘに対応して、その上側で、連結金具本体１に略直線状の吊持ち部分１ｙを形成していることが有効である。
【０００８】
このような構成では、吊下げ環５や、これに吊下げられる、例えば、キーなどの被吊下げ品４が、連結金具本体１の金属表面に直接触れることがないので、この連結金具を用いて、キーや携帯電話機を持ち歩く場合でも、従来のような不快な金属音を発生することなく、また、衝突による傷付きや摩擦接触による表面の損傷も避けられる。さらに、意匠性が向上し、ソフト感が得られ、手触り感なども良好となる。
【０００９】
【考案の実施の形態】
以下、本考案の実施の形態を、図面を参照しながら、具体的に説明する。この実施の形態での連結金具は、基本的には、略Ｃ字形状若しくは略コ形状に形成された金属素材からなる連結金具本体１と、その開放部を閉塞して全体をループの形状に構成するための略短棒状の金属素材からなるアーム部２とからなり、アーム部２は、枢支ピン６によって、その一端２ａを連結金具本体１の一端１ａに枢着し、その他端２ｂを前記ループの内側から、板バネ（図示せず）などの弾性力によって、連結金具本体１の他端１ｂに形成した凸状の係止部に係脱可能に係合したものである。この実施の形態では、アーム部２の他端２ｂには、スリットが形成され、これが前記係止部に嵌合する。そして、特に、本考案では、連結金具本体１が、シリコン樹脂等軟質合成樹脂のチューブ状外套部材３で被覆されている。なお、この実施の形態では、外套部材３には、押出し成形によってチューブ状に形成された熱可塑性軟質合成樹脂が用いられ、前記連結具本体１の一端から嵌合・被覆される。
【００１０】
また、この実施の形態では、外套部材３が、半透明、透明あるいは着色透明であり、連結金具本体１の表面化粧を、外套部材３を透過して、透視でき、外部に反映している。例えば、連結金具本体１の表面が金メッキされている場合、その金の光沢が外套部材３を介して、外部から見られる訳で、連結金具の意匠性を維持できる。また、前記ループには、その外套部材３がある連結金具本体１の小円弧位置１ｘで、被吊下げ品４のための吊下げ環５を備えている。また、前記ループには、吊下げ環５が吊下げられる位置１ｘに対応して、その上側で、連結金具本体１に、ベルト掛けなどに吊持ちさせる略直線状の吊持ち部分１ｙを形成している。
【００１１】
このため、本考案の連結金具を、例えば、キーホルダーや携帯電話機の保持に用いる場合でも、吊下げ環５や、これに吊下げられる、例えば、キーなどの被吊下げ品４が、連結金具本体１の金属表面に直接触れることがないので、この連結金具を用いて、キーや携帯電話機を持ち歩く場合でも、従来のような不快な金属音を発生することなく、また、衝突による傷付きや摩擦接触による表面の損傷も避けられる。
【００１２】
【考案の効果】
このようにして、本考案によれば、この連結金具の使用に際して、吊下げ対象との間で金属音の発生、傷付きを防止し、表面の摩擦損傷を回避できる。
【００１３】
また、金属素材が軟質合成樹脂の外套部材で被覆されていることから、手触りが良くソフト感があるほか、半透明、透明あるいは着色透明の外套部材を透して連結金具本体の金属化粧表面が透視されることから意匠性が各段に向上する。
【図面の簡単な説明】
【図１】本考案の実施の形態を示す、全体の側面図および正面図である。
【図２】同じく、使用態様の側面図である。
【図３】図２のＩＩＩ　−ＩＩＩ　線の断面図である。
【符号の説明】
１　　連結金具本体
１ａ　　一端
１ｂ　　他端
１ｘ　　小円弧位置
１ｙ　　吊持ち部分
２　　アーム部
２ａ　　一端
２ｂ　　他端
３　　外套部材
４　被吊下げ品
５　　吊下げ環
６　　枢支ピン
【図１】
0003097412.tif 000003
【図２】
0003097412.tif 000004
【図３】
0003097412.tif 000005